(57)【要約】【課題】ＩＳ−２０００システムにおいて同期式復調を実現することによって受信性能を向上させ加入者を増大させること。【解決手段】複数（Ｋ）の端末機から受信信号（ｒ（ｔ））を入力し復調されたユーザ信号（ｄ’１、‥‥‥　ｄ’Ｋ）を生成して出力する第１同期式復調部と、受信信号（ｒ（ｔ））を入力してチャネルパラメータ（Ａ１（ｔ−Ｔｂ）、‥‥‥　ＡＫ（ｔ−Ｔｂ））を推定し、出力するチャネル推定部と、第１同期式復調部から複数（Ｋ）個のユーザ復調信号（ｄ’１、‥‥‥　ｄ’Ｋ）を入力して複数（Ｋ）人の加入者に対応するそれぞれの干渉信号を生成し、１シンボルほど遅延した受信信号（ｒ（ｔ−Ｔｂ））で前記干渉信号を除去して複数の干渉除去信号（ｒ’１（ｔ−Ｔｂ）‥‥‥　ｒ’Ｋ（ｒ−Ｔｂ））を出力する干渉信号再生成部と、　干渉信号再生成部から入力された複数の干渉除去信号（ｒ’１（ｔ−Ｔｂ）‥‥‥　ｒ’Ｋ（ｒ−Ｔｂ））を復調して出力する第２同期式復調部とを含む。【選択図】　　　　図２
2004007390.tif 000002
【特許請求の範囲】
【請求項１】
複数（Ｋ）の端末機からパイロットチャネル信号及びトラフィックチャネル信号を含む受信信号（ｒ（ｔ））を入力されてそれぞれ復調して復調されたユーザ信号（ｄ’１、　‥‥‥　ｄ’Ｋ）を生成して出力するための第１同期式復調部と、
前記受信信号（ｒ（ｔ））を入力されて複数（Ｋ）の端末機のそれぞれのパイロットチャネルを用いてそれぞれの端末機に対するチャネルパラメータ（Ａ１（ｔ−Ｔｂ）、‥‥‥　ＡＫ（ｔ−Ｔｂ））を推定した後、出力するためのチャネル推定部と、
前記受信信号（ｒ（ｔ））を入力された後、１シンボル（Ｔｂ）遅延させて出力するための受信信号遅延部と、
前記第１同期式復調部から複数（Ｋ）個のユーザ復調信号（ｄ’１、　‥‥‥　ｄ’Ｋ）を入力されて複数（Ｋ）人の加入者に対応するそれぞれの干渉信号を生成し、前記受信信号遅延部から入力された１シンボルほど遅延された受信信号（ｒ（ｔ−Ｔｂ））で複数（Ｋ）人の加入者に対応するそれぞれの干渉信号を除去させて複数の干渉除去信号（ｒ’１（ｔ−Ｔｂ）‥‥‥　ｒ’Ｋ（ｒ−Ｔｂ））を出力するための干渉信号再生成部と、
前記干渉信号再生成部から入力された前記複数の干渉除去信号（ｒ’１（ｔ−Ｔｂ）‥‥‥　ｒ’Ｋ（ｒ−Ｔｂ））を復調して出力するための第２同期式復調部と
を含むＩＳ−２０００システムにおける基地局内の同期式復調装置。
【請求項２】
前記チャネルパラメータ（ｒ’１（ｔ−Ｔｂ）‥‥‥　ｒ’Ｋ（ｒ−Ｔｂ））は、振幅歪曲（α（τ））及び位相歪曲（θ（τ））成分を含むことを特徴とする請求項１に記載のＩＳ−２０００システムにおける基地局内の同期式復調装置。
【請求項３】
前記干渉信号再生成部は、
前記第１同期式復調部で出力した複数（Ｋ）個の復調されたユーザ信号（ｄ’１、‥‥‥　ｄ’Ｋ）のうち、自分の順番に該当する復調されたユーザ信号と前記チャネル推定部で出力したチャネルパラメータ（Ａ１（ｔ−Ｔｂ）、　‥‥‥　ＡＫ（ｔ−Ｔｂ））のうち、自分の順番に該当する前記チャネルパラメータをかけてそれぞれ位相歪曲された信号を生成して出力する複数（Ｋ）個の掛け算器と、
前記複数（Ｋ）個の掛け算器のうち、自分の順番に対応する掛け算器で出力した位相歪曲された信号を逆拡散して複数（Ｋ）個の逆拡散信号（ｓ’１（ｔ−Ｔｂ）、‥‥‥ｓ’Ｋ（ｔ−Ｔｂ））をそれぞれ生成した後、出力する複数（Ｋ）個の逆拡散器と、
前記複数（Ｋ）個の逆拡散器で生成された複数（Ｋ）個の逆拡散信号（ｓ’１（ｔ−Ｔｂ）、‥‥‥　ｓ’Ｋ（ｔ−Ｔｂ））をすべて入力されて自分の順番に対応する端末機逆拡散信号は除外させた状態で足し算動作を行い、以後これに相応する干渉信号をそれぞれ生成した後、出力する複数（Ｋ）個の加算器と、
前記受信信号遅延部から入力された１シンボル遅延された受信信号（ｒ（ｔ−Ｔｂ））で前記複数（Ｋ）個の加算器のうち、自分の順番に対応する加算器から入力された干渉信号を除去させることによって干渉除去信号を生成して前記第２同期式復調部にそれぞれ出力する複数（Ｋ）個の減算器と
を含むことを特徴とする請求項１に記載のＩＳ−２０００システムにおける基地局内の同期式復調装置。
【請求項４】
複数（Ｋ）の端末機からパイロットチャネル信号及びトラフィックチャネル信号を含む受信信号（ｒ（ｔ））を入力されてそれぞれ復調して復調されたユーザ信号（ｄ’１、‥‥‥　ｄ’Ｋ）を生成して出力する第１ステップと、
前記受信信号（ｒ（ｔ））を入力されて複数（Ｋ）の端末機のそれぞれのパイロットチャネルを用いてそれぞれの端末機に対するチャネルパラメータ（Ａ１（ｔ−Ｔｂ）、‥‥‥　ＡＫ（ｔ−Ｔｂ））を推定した後、出力する第２ステップと、
前記受信信号（ｒ（ｔ））を入力された後、１シンボル（Ｔｂ）遅延させて出力する第３ステップと、
前記複数（Ｋ）個のユーザ復調信号（ｄ’１、　‥‥‥　ｄ’Ｋ）を入力されて複数（Ｋ）人の加入者に対応するそれぞれの干渉信号を生成して、前記１シンボルほど遅延された受信信号（ｒ（ｔ−Ｔｂ））で複数（Ｋ）人の加入者に対応するそれぞれの干渉信号を除去させて複数の干渉除去信号（ｒ’１（ｔ−Ｔｂ）‥‥‥　ｒ’Ｋ（ｒ−Ｔｂ））を出力する第３ステップと、
前記複数の干渉除去信号（ｒ’１（ｔ−Ｔｂ）‥‥‥　ｒ’Ｋ（ｒ−Ｔｂ））を復調して出力する第４ステップと
を含むＩＳ−２０００システムにおける基地局内の同期式復調方法。
【発明の詳細な説明】
【０００１】
【発明の属する技術分野】
本発明は、ＩＳ−２０００（Ｉｎｔｅｒｉｍ　Ｓｔａｎｄａｒｄ−２０００）システムにおける基地局内の同期式復調装置及び方法に関し、より詳細には、ＣＤＭＡ（Ｃｏｄｅ　Ｄｉｖｉｓｉｏｎ　ｍｕｌｔｉｐｌｅ　ａｃｃｅｓｓ、以下、「ＣＤＭＡ」と記す。）システムの干渉除去技法である並列干渉除去技法及び連鎖干渉除去技法を適用して受信性能を向上させたＩＳ−２０００システムにおける基地局内の同期式復調装置及び方法に関する。
【０００２】
【従来の技術】
従来のＣＤＭＡ基地局システムにおいては、干渉を除去する様々な方法があったが、そのうち並列干渉除去技法と連鎖干渉除去技法とが提案されていた。しかし、これらの方法は、チャネルの位相及び大きさ情報を知っていなければならないが、このため既存のＩＳ−９５（Ｉｎｔｅｒｉｍ　Ｓｔａｎｄａｒｄ−９５）システムにおいては上述した干渉除去技法を用いることができなかった。なぜならば、従来のＩＳ−９５システムにおいては、端末機から基地局にＲＦ（Ｒａｄｉｏ　Ｆｒｅｑｕｅｎｃｙ）信号を伝送する時、電力消耗などの理由でパイロットチャネルを伝送しないためである。従って、従来のＩＳ−９５システムにおいてはチャネルの位相及び大きさ情報を知らなければならない同期復調はなされず、非同期復調方式を採用して用いた（例えば、特許文献１参照）。
【０００３】
しかし、現在、研究開発中のＩＳ−２０００システムを具現するにあたって、従来のＩＳ−９５システムに適用された非同期復調方式を用いるようになると、同期復調に比べて３ｄＢ程度の性能が落ちるので、受信性能が顕著に落ち、このため加入者の増設が不可能であるという問題点があった。
【０００４】
【特許文献１】
米国特許第６，４７７，１５９号明細書
【０００５】
【発明が解決しようとする課題】
そこで、本発明は、前記従来の技術の問題点に鑑みてなされたものであって、目的とするところは、ＩＳ−２０００システムを具現することにおいて同期式復調を実現することによって受信性能を向上させると共に加入者を増大させることができるＩＳ−２０００システムにおける基地局内の同期式復調装置及び方法を提供することにある。
【０００６】
【課題を解決するための手段】
前記のような目的を達成するため、本発明は、複数（Ｋ）の端末機からパイロットチャネル信号及びトラフィックチャネル信号を含む受信信号（ｒ（ｔ））を入力されてそれぞれ復調して復調されたユーザ信号（ｄ’１、　‥‥‥　ｄ’Ｋ）を生成して出力するための第１同期式復調部と、前記受信信号（ｒ（ｔ））を入力されて複数（Ｋ）の端末機のそれぞれのパイロットチャネルを用いてそれぞれの端末機に対するチャネルパラメータ（Ａ１（ｔ−Ｔｂ）、　‥‥‥　ＡＫ（ｔ−Ｔｂ））を推定した後、出力するためのチャネル推定部と、前記受信信号（ｒ（ｔ））を入力された後、１シンボル（Ｔｂ）遅延させて出力するための受信信号遅延部と、前記第１同期式復調部から複数（Ｋ）個のユーザ復調信号（ｄ’１、　‥‥‥　ｄ’Ｋ）を入力されて複数（Ｋ）人の加入者に対応するそれぞれの干渉信号を生成し、前記受信信号遅延部から入力された１シンボルほど遅延された受信信号（ｒ（ｔ−Ｔｂ））で複数（Ｋ）人の加入者に対応するそれぞれの干渉信号を除去させて複数の干渉除去信号（ｒ’１（ｔ−Ｔｂ）‥‥‥ｒ’Ｋ（ｒ−Ｔｂ））を出力するための干渉信号再生成部と、前記干渉信号再生成部から入力された前記複数の干渉除去信号（ｒ’１（ｔ−Ｔｂ）‥‥‥　ｒ’Ｋ（ｒ−Ｔｂ））を復調して出力するための第２同期式復調部とを含むＩＳ−２０００システムにおける基地局内の同期式復調装置を提供する。
【０００７】
前記のような目的を達成するために、本発明は、複数（Ｋ）の端末機からパイロットチャネル信号及びトラフィックチャネル信号を含む受信信号（ｒ（ｔ））を入力されてそれぞれ復調して復調されたユーザ信号（ｄ’１、　‥‥‥　ｄ’Ｋ）を生成して出力する第１ステップと、前記受信信号（ｒ（ｔ））を入力されて複数（Ｋ）の端末機のそれぞれのパイロットチャネルを用いてそれぞれの端末機に対するチャネルパラメータ（Ａ１（ｔ−Ｔｂ）、　‥‥‥　ＡＫ（ｔ−Ｔｂ））を推定した後、出力する第２ステップと、前記受信信号（ｒ（ｔ））を入力された後、１シンボル（Ｔｂ）遅延させて出力する第３ステップと、前記複数（Ｋ）個のユーザ復調信号（ｄ’１、　‥‥‥　ｄ’Ｋ）を入力されて複数（Ｋ）人の加入者に対応するそれぞれの干渉信号を生成して、前記１シンボルほど遅延された受信信号（ｒ（ｔ−Ｔｂ））で複数（Ｋ）人の加入者に対応するそれぞれの干渉信号を除去させて複数の干渉除去信号（ｒ’１（ｔ−Ｔｂ）‥‥‥ｒ’Ｋ（ｒ−Ｔｂ））を出力する第３ステップと、前記複数の干渉除去信号（ｒ’１（ｔ−Ｔｂ）‥‥‥　ｒ’Ｋ（ｒ−Ｔｂ））を復調して出力する第４ステップとを含むＩＳ−２０００システムにおける基地局内の同期式復調方法を提供する。
【０００８】
【発明の実施の形態】
以下、本発明の一実施例に係るＩＳ−２０００システムにおける基地局内の同期式復調装置を添付する図面を参照して詳細に説明する。
【０００９】
図１を参照すると、本発明の一実施例に係るＩＳ−２０００システムにおける基地局内の同期式復調装置は、第１同期式復調部１００、チャネル推定部２００、受信信号遅延部３００、干渉信号再生成部４００、及び第２同期式復調部５００を含む。
【００１０】
前記第１同期式復調部１００は、受信信号（ｒ（ｔ））を入力されると、その受信信号（ｒ（ｔ））に含まれた複数（Ｋ）個の端末機ユーザ信号（ｄ’１、　‥‥‥　ｄ’Ｋ）をそれぞれ復調した後、前記干渉信号再生成部４００に出力する。
【００１１】
また、前記チャネル推定部２００は、複数（Ｋ）個の端末機のパイロットチャネル及びトラフィックチャネルがすべて含まれた受信信号（ｒ（ｔ））を入力されると、その端末機のそれぞれのパイロットチャネルを用いてそれぞれの端末機に対するチャネルパラメータ（Ａ１（ｔ−Ｔｂ）、　‥‥‥　ＡＫ（ｔ−Ｔｂ））を推定した後、前記干渉信号再生成部４００に出力する。ここで、前記チャネル推定部２００の出力信号である複数（Ｋ）個の端末機それぞれに対するチャネルパラメータ（Ａ１（ｔ−Ｔｂ）、‥‥‥　ＡＫ（ｔ−Ｔｂ））は振幅歪曲（α（τ））及び位相歪曲（θ（τ））成分をそれぞれ含む。
【００１２】
一方、前記受信信号遅延部３００は、受信信号（ｒ（ｔ））を入力された後、１シンボル（Ｔｂ）ほど遅延させて前記干渉信号再生成部４００に出力する。
【００１３】
また、前記干渉信号再生成部４００は、前記第１同期式復調部１００から複数（Ｋ）個の端末機ユーザ信号（ｄ’１、　‥‥‥　ｄ’Ｋ）を入力されて複数（Ｋ）の加入者に対応するそれぞれの干渉信号を生成し、以後前記受信信号遅延部３００から１シンボルほど遅延された受信信号（ｒ（ｔ−Ｔｂ））を入力されると、その受信信号（ｒ（ｔ−Ｔｂ））で複数（Ｋ）人の加入者に対応するそれぞれの干渉信号を除去させて相応する複数（Ｋ）個の受信信号（ｒ’１（ｔ−Ｔｂ）‥‥‥　ｒ’Ｋ（ｒ−Ｔｂ））を前記第２同期式復調部５００に出力し、図２に示すように複数（Ｋ）個の掛け算器４０１、複数（Ｋ）の逆拡散器（Ｄｅｓｐｒｅａｄｅｒ）４０２、複数（Ｋ）の加算器４０３及び複数（Ｋ）の減算器４０４を含む。
【００１４】
この場合、前記干渉信号再生成部４００内に装着された複数（Ｋ）の掛け算器４０１は、前記第１同期式復調部１００で出力した複数（Ｋ）個の端末機ユーザ信号（ｄ’１、‥‥‥　ｄ’Ｋ）のうち、自分の順番に該当するユーザ信号と前記チャネル推定部２００で出力したチャネルパラメータ（Ａ１（ｔ−Ｔｂ）、‥‥‥　ＡＫ（ｔ−Ｔｂ））のうち、自分の順番に該当するチャネルパラメータをかけることによってそれぞれ位相歪曲された信号を生成した後、前記複数（Ｋ）の逆拡散器４０２のうち、自分の順番に対応する逆拡散器４０２にそれぞれ出力する。
【００１５】
また、前記干渉信号再生成部４００内に装着された複数（Ｋ）個の逆拡散器４０２は、前記複数（Ｋ）個の掛け算器４０１のうち、自分の順番に対応する掛け算器４０１で出力した位相歪曲された信号を用いて複数（Ｋ）個の端末機送信信号（（ｓ’１（ｔ−Ｔｂ）、　‥‥‥　ｓ’Ｋ（ｔ−Ｔｂ））をそれぞれ再生成した後、前記複数（Ｋ）個の加算器４０３のうち、自分の順番に対応する加算器４０３にそれぞれ出力する役割を果たす。
【００１６】
一方、前記干渉信号再生成部４００内に装着された複数（Ｋ）個の加算器４０３は、前記複数（Ｋ）の逆拡散器４０２で再生された複数（Ｋ）の端末機送信信号（ｓ’１（ｔ−Ｔｂ）、‥‥‥　ｓ’Ｋ（ｔ−Ｔｂ））をすべて入力されて自分の順番に対応する端末機送信信号は、除外させた状態で足し算動作を行い、以後これに相応する干渉信号をそれぞれ生成した後、前記複数（Ｋ）の減算器４０４のうち、自分の順番に対応する減算器４０４にそれぞれ出力する。
【００１７】
また、前記干渉信号再生成部４００内に装着された複数（Ｋ）の減算器４０４は、前記受信信号遅延部３００から受信信号（ｒ（ｔ−Ｔｂ））を入力されると同時に前記複数（Ｋ）の加算器４０３のうち、自分の順番に対応する加算器４０３から干渉信号を入力された後、前記受信信号（ｒ（ｔ−Ｔｂ））から干渉信号を除去させた後、前記第２同期式復調部５００にそれぞれ出力する。
【００１８】
一方、前記第２同期式復調部５００は、前記干渉信号再生成部４００から複数（Ｋ）の受信信号（ｒ’１（ｔ−Ｔｂ）‥‥‥　ｒ’Ｋ（ｒ−Ｔｂ））を入力された後、最終的に復調して制御局１に出力する。
【００１９】
【発明の効果】
上述したようになされる本発明に係るＩＳ−２０００システムにおける基地局内の同期式復調装置を用いると、ＩＳ−９５システムの非同期式復調に比べて３ｄＢほど受信性能が向上することによって、加入者を増大させることができるという優れた効果がある。
【図面の簡単な説明】
【図１】本発明の一実施例に係るＩＳ−２０００システムにおける基地局内の同期式復調装置の構成を示した機能ブロック図である。
【図２】図１に係るＩＳ−２０００システムにおける基地局内の同期式復調装置で干渉信号再生成推定部の細部構成を示すブロック図である。
【符号の説明】
１００　　　第１同期式復調部
２００　　　チャネル推定部
３００　　　受信信号遅延部
４００　　　干渉信号再生成部
４０１　　　掛け算器
４０２　　　逆拡散器
４０３　　　加算器
４０４　　　減算器
５００　　　第２同期式復調部
【図１】
2004007390.tif 000003
【図２】
2004007390.tif 000004